(57)【要約】【課題】指掛かり部への引っ掛かりによるスコア破断を未然に防止でき、しかも開口操作時の指掛かり性を向上させ得る開口容易蓋のタブを提供する。【解決手段】蓋体１０に固定される固定部２と、固定部２から蓋体１０に沿って延びるつまみ部３を備え、つまみ部３には指掛け孔３１が設けられ、つまみ部３の指掛け孔３１を隔てて反固定部側の端部が指掛かり部３２となっている開口容易蓋のタブにおいて、指掛かり部３２の指掛け孔３１に臨む内側縁３２ａを外側縁３２ｂよりも蓋体１０に対して上方に位置させ、内側縁３２ａと蓋体１０との間に指が掛かる隙間ｇを形成したことを特徴とする。【選択図】    図１
2005162267.tif 000002
【特許請求の範囲】
【請求項１】
蓋体に固定される固定部と、該固定部から蓋体上面に沿って延びるつまみ部を備え、該つまみ部には指掛け孔が設けられ該指掛け孔を隔てて反固定部側の端部が指掛かり部となっている開口容易蓋のタブにおいて、
前記指掛かり部の指掛け孔に臨む内側縁を外側縁よりも蓋体に対して上方に位置させ、内側縁と蓋体との間に指が掛かる隙間を形成したことを特徴とする開口容易蓋のタブ。
【請求項２】
指掛かり部の外側縁は蓋体上面に密接する構成となっていることを特徴とする請求項１に記載の開口容易蓋のタブ。
【発明の詳細な説明】
【技術分野】
【０００１】
本発明は、たとえば開口容易缶の缶蓋等に用いられる開口容易蓋のタブに関する。
【背景技術】
【０００２】
一般的に開口容易蓋のタブは、蓋体に固定される固定部と、固定部から蓋体上面に沿って延びるつまみ部を備えている。つまみ部には指掛け孔が設けられ指掛け孔を隔てて反固定部側の端部が指掛かり部となっている。この指掛かり部の外側縁に指を掛けてつまみ部を上方に引き起こし、固定部近傍に位置するスコアを破断するようになっていた。
つまみ部の指掛かり部は、搬送時等において指掛かり部に引掛かりが生じないように、出っ張りの無いあるいはフラットに近い形状に構成されていた。このようなタブは、たとえば、特許文献１、２に記載されている。
【０００３】
しかし指掛かり部をフラット形状とすると、開口操作時の指掛かり性が悪くなってしまう。指掛かり性を改善するためには、指掛かり部の外側縁を持ち上げて、蓋体上面との隙間を大きくするチップアップ方式が有効であるが、意図しないところでチップアップした指掛かり部の外側縁が引っ掛かり、スコアが破断して密閉性が損なわれてしまうおそれがある。
【０００４】
スコアが大きく破断した場合には発見が容易であるが、僅かに開口した程度では見逃されるおそれがある。特に、全面開口用の開口容易蓋の場合には、蓋体の外周縁に沿って形成される主スコアの他に、タブの下方に位置するベントスコアが設けられており、ベントスコアが僅かに破断したような場合には、つまみ部によって隠されているので発見は容易でない。
【特許文献１】特開２０００−１２８１６８
【特許文献２】特公昭５０−２２９５７
【発明の開示】
【発明が解決しようとする課題】
【０００５】
本発明は、上記した従来技術の問題点を解決するためになされたもので、その目的とするところは、指掛かり部への引っ掛かりによるスコア破断を未然に防止し、しかも開口操作時の指掛かり性を向上させ得る開口容易蓋のタブを提供することにある。
【課題を解決するための手段】
【０００６】
上記目的を達成するために、請求項１に係る発明は、蓋体に固定される固定部と、固定部から蓋体に沿って延びるつまみ部を備え、つまみ部には指掛け孔が設けられ、つまみ部の前記指掛け孔を隔てて反固定部側の端部が指掛かり部となっている開口容易蓋のタブにおいて、
前記指掛かり部の指掛け孔に臨む内側縁を外側縁よりも蓋体に対して上方に位置させ、内側縁と蓋体との間に指が掛かる隙間を形成したことを特徴とする。
【０００７】
請求項２に係る発明は、指掛かり部の外側縁は蓋体上面に密接する構成となっていることを特徴とする。
【発明の効果】
【０００８】
請求項１に係る発明によれば、指掛かり部の内側縁を外側縁よりも蓋体に対して上方に位置させ、内側縁に指をかけて初期開口操作をするようにしたので、外側縁と蓋体との隙間を小さくすることにより、搬送時等において指掛かり部の外側縁が引っ掛かって持ち上がるような問題は無く、スコア破断の事故防止を図ることができる。
また、指掛かり部の内側縁を持ち上げることによって指掛かり性も向上する。仮に、内側縁が何かに引掛かったとしても、引掛かる方向が固定部を引っ張る方向なので、スコア破断の方向に力が作用しない。
【０００９】
請求項２に係る発明によれば、外側縁を蓋体上面に密接させているので、指掛かり部の外側縁に対する引っ掛かりを確実に防止できる。
【発明を実施するための最良の形態】
【００１０】
以下に本発明を図示の実施の形態に基づいて詳細に説明する。
図１及び図２は、本発明の実施の形態に掛かる開口容易蓋のタブを示している。
この開口容易蓋のタブ１は剛性のある薄肉板形状の部材で、蓋体１０に固定される固定部２と、固定部２から缶蓋１０に沿って延びるつまみ部３を備えている。つまみ部３には指掛け孔３１が設けられ、指掛け孔３１を隔てて反固定部側の端部が指掛かり部３２となっている。
【００１１】
蓋体１０は全面開口用で、円板状のパネル部１１と、このパネル部１１の周縁から立ち上がる周壁部１２と、この周壁部１２から外側に向かって延びて缶本体５０の巻締めフランジ５１と共に巻き締められる巻締めカール部１３と、を備え、パネル部１１の外周縁に全面開口用の主スコア１４が形成され、パネル部１１のほぼ全面が開口するようになっている。パネル部１１には、主スコア１４の他にベントスコア１７が設けられている。このベントスコア１７は、固定部２を固定するためのリベット部１５に対して、主スコア１４と反対側（蓋体１０の中心側）に設けられ、タブ１の下方に位置している。
【００１２】
タブ１はパネル部１１の主スコア１４に囲まれた円形の開口予定領域内に取り付けられるもので、固定部２が主スコア１４に近接して固定され、つまみ部３が固定部２に対してパネル１１の中心側に配置されている。
【００１３】
固定部２はつまみ部３との境界部から主スコア１４に向かって徐々に幅が狭くなるような台形状で、中央に三角形状に窪んだ凹部２１が形成され、この凹部２１にリベット部１５が固定されている。凹部２１の左右両側にはつまみ部３から連続的に延びる剛性を有するビード部２２，２２が設けられ、ビード部２２，２２が主スコア１４を破断するタブ先端部４まで延びている。
【００１４】
つまみ部３は、楕円形状の指掛け孔３１を取り囲む丸い枠形状で、指掛け孔３１の左右に位置する側板部３３，３３と、この側板部３３，３３の先端部を連結する指掛かり部３２とを備えた構成となっている。左右の側板部３３，３３は固定部２のビード部２２，２２と連続している。この左右の側板部３３，３３も、特に図示しないが剛性のある立体的な断面形状に成形されている。
【００１５】
そして、この指掛かり部３２の指掛け孔３１に臨む内側縁３２ａが外側縁３２ｂよりも缶蓋１０に対して上方に位置し、内側縁３２ａと缶蓋１０との間に指が掛かる隙間ｇが形成されている。隙間ｇの寸法範囲の下限は約１ｍｍ、好ましくは約２ｍｍで、これより小さいと指が掛け難い。上限は約５ｍｍ、好ましくは４ｍｍで、これより大きいと蓋を積み重ねる場合など製造時のハンドリング性が劣る等の不都合がある。また、タブ１の指掛け孔３１の内側から指が入りやすくまた掛かりやすくするためには、指掛かり部３２の面積を大きい方がよく、この例では円弧形状の外側縁３２ｂに対して、内側縁３２ａの形状を直線状にして面積を大きくしている。
つまみ部３は、所定間隔隔てて形成された谷折り部Ｖと山折り部Ｍの２箇所で折り曲げ加工されている。折り曲げ加工は、折り目をつけない単なる曲げ加工でもよい。つまみ部３は、谷折り部Ｖから指掛かり部３２に向けて徐々に上方に持ち上がり、山折り部Ｍの位置で最高点となり、山折り部Ｍから指掛かり部３２の外側縁３２ｂに向けて徐々に下方に傾斜している。
谷折り部Ｖはつまみ部３の左右の側板部３３，３３の固定部２側の付け根付近、山折り部Ｍは左右の側板部３３，３３の指掛かり部３２側との連結部付近に設けられており、指掛かり部３２の内側縁３２ａは山折り部Ｍの頂点位置より若干下方に位置している。
【００１６】
図示例では、指掛かり部３２は、内側縁３２ａから外側縁３２ｂに向けて缶蓋１０のパネル部１１に向かって直線的に傾斜する構成となっており、外側縁３２ｂは缶蓋のパネル部１１中央の段凹部１６の底面に当接している。もっとも、外側縁３２ｂはパネル部１１と必ずしも当接している必要はなく、所定の隙間を介して近接する構成としてもよい。
【００１７】
また、図示例では段凹部１６が指掛かり部３２の内側縁３２ａの下方まで形成されており、段凹部１６の深さの分だけ内側縁３２ａとの隙間ｇを大きくしている。段凹部１６の平面形状は半円形状で、直線部１６ａが内側縁３２ａと対向する構成となっている。もっとも、段凹部１６の平面形状は円形状であってもよい。
【００１８】
次に、本実施の形態の開口容易蓋のタブの作用について説明する。
開口する際には、タブ１の指掛かり部３２の内側縁３２ａに指を掛け、上方に持ち上げる。そのままタブ１を起こして開口操作してもよいし、持ち上げた後に外側縁３２ｂの下に指を入れて開口操作してもよい。指掛かり部３２の内側縁３２ａを上方に位置させて指掛け用の隙間ｇを設けてあるので、指掛かり性がよい。
【００１９】
また、指掛かり部３２の外側縁３２ｂを蓋体１０のパネル１１の段凹部１６の底面に当接、あるいは近接させているので、開口容易蓋の製造・搬送時等において、指掛かり部３２の外側縁３２ｂに引掛かりが生じるおそれはなく、外側縁３２ｂが持ち上がってスコアが破断する事故を未然に防止することができる。
【００２０】
仮に、内側縁３２ａ側に何か引掛かったとしても、引掛かる方向が固定部２を引っ張る方向なので、図３（Ａ）に示すように、タブ１の先端４を持ち上げる方向のモーメントＭＡが作用し、スコア１４破断の方向には「てこ」作用が働かない。これに対して、外側縁３２ｂをチップアップしている形状の場合には、図３（Ｂ）に示すように、引っ掛かる方向が固定部１５を押す方向なので、タブ１の先端４をスコア１４に押し付ける方向のモーメントＭＢが作用し、「てこ」作用が働いて破断につながるおそれがある。
【００２１】
なお、上記実施の形態では谷折り部Ｖと山折り部Ｍの２箇所で屈曲する構成としたが、谷折り部Ｖを無くして山折り部Ｍだけとしてもよい。
また、折り曲げ成形するのではなく、図１（Ｃ）に示すように、指掛かり部３２の中間部分３２１のみをねじって、外側縁３２ｂより内側縁３２ａを上方に位置するように傾斜させてもよい。
また、上記実施の形態では全面開口の開口容易蓋のタブについて説明したが、部分開口用のタブについても適用できることはもちろんであり、開口容易蓋が適用されるは容器としては、缶体に限定されるものではない。なお飲料缶蓋のようなタブが蓋中央に固着されているタイプの部分開口缶蓋に本発明を提供した場合には、つまみ部３２の内縁側３２ａに指をかけてタブを引き上げることができるので、図４（Ａ）に示すように従来の缶蓋（図４（Ｂ））に比べタブのつまみ部３２を缶蓋の外周縁へ従来蓋より延ばすことができる。したがって、指掛け穴３１を大きくすることができ、さらにリベット部１５と指掛かり部３２との距離が大きくなりてこの作用も大きくなるので開口しやすいという効果もある。
【図面の簡単な説明】
【００２２】
【図１】図１（Ａ）は本発明の実施の形態に係るタブを備えた開口容易蓋の斜視図、同図（Ｂ）はタブの拡大斜視図、同図（Ｃ）は指掛かり部の変形例を示す図である。
【図２】図２（Ａ）は図１の開口容易蓋の平面図、図２（Ｂ）は同図（Ａ）のＢ−Ｂ線に沿う拡大断面図である。
【図３】図３（Ａ）は本発明の指掛かり部の内側縁に引掛かりが生じた場合の作用説明図、図３（Ｂ）は指掛かり部の外側縁を持ち上げた比較例の指掛かり部の外側縁に引掛かりが生じた場合の作用説明図である。
【図４】図４は本発明を部分開口蓋に適用した場合の作用説明図で、（Ａ）が本発明を適用した場合の蓋平面図、（Ｂ）が皮革のための従来蓋平面図である。
【符号の説明】
【００２３】
１  タブ
１０  蓋体
１１  パネル部、１２  周壁部、１３  巻締めカール部、１４  主スコア
１５  リベット部、１６  段凹部、１７  ベントスコア
２  固定部
２１  凹部、２２  ビード部
３  つまみ部
３１  指掛け孔、３２  指掛かり部、３３  側板部
３２ａ  内側縁、３２ｂ  外側縁
Ｖ  谷折り部
Ｍ  山折り部
【図１】
2005162267.tif 000003
【図２】
2005162267.tif 000004
【図３】
2005162267.tif 000005
【図４】
2005162267.tif 000006